(57)【特許請求の範囲】
【請求項１】
エラストマーに、平均直径が５〜３０ｎｍの多層カーボンナノチューブを混合させ、かつ剪断力によって分散させて炭素繊維複合材料を得る工程を含み、
前記炭素繊維複合材料は、前記多層カーボンナノチューブを８〜１６体積％含む電子放出材料である、電子放出材料の製造方法。
【請求項２】
請求項１において、
前記炭素繊維複合材料と溶剤とを混合して塗布液を得る工程と、
前記塗布液を基材上に塗布して薄膜を形成し、前記薄膜の形態の電子放出材料を得る工程と、
を含む、電子放出材料の製造方法。
【請求項３】
請求項１または２において、
前記エラストマーは、分子量が５０００ないし５００万である、電子放出材料の製造方法。
【請求項４】
請求項１ないし３のいずれかにおいて、
前記エラストマーは、多層カーボンナノチューブに対して親和性を有する不飽和結合または基を有する、電子放出材料の製造方法。
【請求項５】
請求項１ないし４のいずれかにおいて、
前記エラストマーは、パルス法ＮＭＲを用いてハーンエコー法によって３０℃で測定した、未架橋体における、ネットワーク成分のスピン−スピン緩和時間（Ｔ２ｎ）が１００ないし３０００μ秒である、電子放出材料の製造方法。
【請求項６】
請求項１ないし５のいずれかにおいて、
前記エラストマーは、パルス法ＮＭＲを用いてハーンエコー法によって３０℃で測定した、架橋体における、ネットワーク成分のスピン−スピン緩和時間（Ｔ２ｎ）が１００ないし２０００μ秒である、電子放出材料の製造方法。
【請求項７】
請求項２において、
前記薄膜を形成する工程は、スピンコート法、ディッピング法、スクリーン印刷法、スプレー法、インクジェット法から選ばれる、電子放出材料の製造方法。
【請求項８】
請求項１ないし７のいずれかに記載の製造方法によって得られた電子放出材料。
【請求項９】
請求項２に記載の製造方法によって得られた電子放出材料が形成された基材。
【請求項１０】
エラストマー中に平均直径が５〜３０ｎｍの多層カーボンナノチューブが分散された炭素繊維複合材料からなる電子放出材料であって、
前記炭素繊維複合材料は、前記多層カーボンナノチューブを８〜１６体積％含む、電子放出材料。
【請求項１１】
請求項１０に記載の電子放出材料を含む陰極と、
前記陰極から所定の間隔をあけて配置された陽極と、
を具備し、
前記陽極と前記陰極との間に電圧を印加することで前記電子放出材料から電子を放出する、電子放出装置。
【発明の詳細な説明】
【技術分野】
【０００１】
本発明は、電子放出材料及びその製造方法、電子放出材料が形成された基材、電子放出装置に関する。
【背景技術】
【０００２】
近年、カーボンナノチューブを電子放出材料に応用する研究が行なわれている。電子放出材料は、例えば、省エネルギー化の要求から薄型テレビなどのディスプレイ（ＦＥＤ）や平面照明装置として、電界を印加することによって電子を放出させる電子放出装置に用いられる。電子放出装置は、低電界における電子放出と、高電流密度と、長寿命と、が要求される。しかしながら、カーボンナノチューブは、低電界で高い電流密度を達成することができるが、電子放出時に破壊されるため、寿命が短かいことがわかった（例えば、特許文献１参照）。
【０００３】
また、通常カーボンナノチューブは凝集した粉体状もしくは束（バンドル）状に製造されるため、均一に分散させることが困難で、高価なカーボンナノチューブを効率よく利用することができない。
【特許文献１】特開２００３−７７３８６号公報
【発明の開示】
【発明が解決しようとする課題】
【０００４】
そこで、本発明の目的は、多層カーボンナノチューブが均一に分散された高効率の電子放出材料及びその製造方法、電子放出材料が形成された基材、電子放出装置を提供することにある。
【課題を解決するための手段】
【０００５】
本発明にかかる電子放出材料の製造方法は、
エラストマーに、平均直径が５〜３０ｎｍの多層カーボンナノチューブを混合させ、かつ剪断力によって分散させて炭素繊維複合材料を得る工程を含み、
前記炭素繊維複合材料は、前記多層カーボンナノチューブを８〜１６体積％含む電子放出材料である。
【０００６】
本発明の電子放出材料の製造方法によれば、エラストマー中に多層カーボンナノチューブが均一に分散された炭素繊維複合材料からなる電子放出材料が得られる。また、この製造方法によれば、エラストマーをマトリクスとしながらも金属のような電気伝導性を有すると共に、効率よく電子放出可能な電子放出材料を得ることができる。特に、炭素繊維複合材料中における多層カーボンナノチューブの含有量を８〜１６体積％とすることで、高効率に最適化された電子放出特性を有する電子放出材料を得ることができ、高価な多層カーボンナノチューブを効率よく利用することができる。
【０００７】
本発明にかかる電子放出材料の製造方法において、
前記炭素繊維複合材料と溶剤とを混合して塗布液を得る工程と、
前記塗布液を基材上に塗布して薄膜を形成し、前記薄膜の形態の電子放出材料を得る工程と、
を含むことができる。
【０００８】
本発明の電子放出材料の製造方法によって得られた基材においては、基材上に多層カーボンナノチューブが均一に分散された薄膜が形成される。エラストマー中に均一に多層カーボンナノチューブが分散された炭素繊維複合材料を溶剤中に溶解すると、多層カーボンナノチューブが懸濁した塗布液が得られる。これは、多層カーボンナノチューブとエラストマーとの濡れがよいため、溶剤に沈殿することなく、塗布液中に多層カーボンナノチューブが均一に懸濁するためである。この塗布液を基材上に塗布することによって、多層カーボンナノチューブが均一に分散された薄膜を基材に形成することができる。
【０００９】
本発明にかかる電子放出材料の製造方法において、
前記エラストマーは、分子量が５０００ないし５００万とすることができる。
【００１０】
本発明にかかる電子放出材料の製造方法において、
前記エラストマーは、多層カーボンナノチューブに対して親和性を有する不飽和結合または基を有することができる。このような構成とすることで、炭素繊維複合材料を得る工程において、エラストマーの不飽和結合または基が、多層カーボンナノチューブの活性な部分、特に多層カーボンナノチューブの末端のラジカルと結合することにより、多層カーボンナノチューブの凝集力を弱め、エラストマーに多層カーボンナノチューブを均一に分散させることができる。
【００１１】
本発明に用いられるエラストマーは、ゴム系エラストマーあるいは熱可塑性エラストマーのいずれであってもよい。また、ゴム系エラストマーの場合、エラストマーは架橋体あるいは未架橋体のいずれであってもよいが、ゴム系エラストマーの場合、多層カーボンナノチューブの混合し易さから未架橋体が好ましい。本発明に用いられるエラストマーは、パルス法ＮＭＲを用いてハーンエコー法によって３０℃で測定した、未架橋体における、ネットワーク成分のスピン−スピン緩和時間（Ｔ２ｎ）が１００ないし３０００μ秒であることが好ましい。また、本発明に用いられるエラストマーは、パルス法ＮＭＲを用いてハーンエコー法によって３０℃で測定した、架橋体における、ネットワーク成分のスピン−スピン緩和時間（Ｔ２ｎ）が１００ないし２０００μ秒であることが好ましい。
【００１３】
本発明にかかる電子放出材料の製造方法において、
前記薄膜を形成する工程は、スピンコート法、ディッピング法、スクリーン印刷法、スプレー法、インクジェット法から選ぶことができる。
【００１４】
本発明にかかる電子放出材料は、前記電子放出材料の製造方法によって得られた電子放出材料からなる。
【００１５】
本発明にかかる電子放出材料は、前記電子放出材料の製造方法によって得られた電子放出材料が形成された基材からなる。
【００１６】
本発明にかかる電子放出材料は、
エラストマー中に平均直径が５〜３０ｎｍの多層カーボンナノチューブが分散された炭素繊維複合材料からなる電子放出材料であって、
前記炭素繊維複合材料は、前記多層カーボンナノチューブを８〜１６体積％含む。
【００１７】
本発明の電子放出材料によれば、多層カーボンナノチューブをエラストマーで包み込むことで、長寿命でありながら、低電界における電子放出を可能とすることができる。また、本発明の電子放出材料は、エラストマーをマトリクスとしながら、金属に近い電気伝導性を有するので、電子注入が可能である。さらに、エラストマーをマトリクスとしているため、電子放出材料の形態の自由度が高く、多くの用途に柔軟に対応可能である。特に、高効率の電子放出特性が得られるように最適化されているので、高価な多層カーボンナノチューブを効率よく利用することができる。
【００１８】
本発明にかかる電子放出装置は、
前記電子放出材料を含む陰極と、
前記陰極から所定の間隔をあけて配置された陽極と、
を具備し、
前記陽極と前記陰極との間に電圧を印加することで前記電子放出材料から電子を放出する。
【００１９】
本発明にかかる電子放出装置によれば、長寿命でありながら省電力化が可能である。しかも、高効率の電子放出特性が得られる量の多層カーボンナノチューブを含む電子放出材料を用いることによって高価な多層カーボンナノチューブを効率よく利用することができる。
【発明を実施するための最良の形態】
【００２０】
以下、本発明の実施の形態について図面を参照しながら詳細に説明する。
【００２１】
図１は、本実施の形態で用いたオープンロール法によるエラストマーと多層カーボンナノチューブとの混練法を模式的に示す図である。図２は、本実施の形態で用いたスピンコート法による塗布液の塗布を模式的に示す図である。図３は、凝集した多層カーボンナノチューブと電気伝導を模式的に示す図である。図４は、本実施の形態にかかる薄膜中の多層カーボンナノチューブの状態と電気伝導を模式的に示す図である。図５は、本実施の形態にかかる炭素繊維複合材料（電子放出材料）の一部を拡大して示す模式図である。図６は、多層カーボンナノチューブが少ない炭素繊維複合材料の一部を拡大して示す模式図である。図７は、多層カーボンナノチューブが多すぎる炭素繊維複合材料の一部を拡大して示す模式図である。図８は、本実施の形態にかかる電子放出装置を用いたフィールド・エミッション・ディスプレイの構成を示す模式図である。図９は、本実施の形態にかかる平面照明装置の構成を示す模式図である。図１０は、本実施の形態にかかる平面照明装置の構成を示す模式図である。図１１は、本実施の形態にかかる平面照明装置の構成を示す模式図である。図１２は、本実施の形態にかかる平面照明装置の構成を示す模式図である。図１３は、本実施の形態にかかる曲面照明装置の構成を示す模式図である。図１４は、本実施の形態にかかる管状照明装置の構成を示す模式図である。
【００２２】
本実施の形態にかかる電子放出材料の製造方法は、エラストマーに、平均直径が５〜３０ｎｍの多層カーボンナノチューブを混合させ、かつ剪断力によって分散させて炭素繊維複合材料を得る工程を含み、前記炭素繊維複合材料は、前記多層カーボンナノチューブを８〜１６体積％含む電子放出材料である。
【００２３】
本実施の形態にかかる電子放出材料は、前記電子放出材料の製造方法によって得られた電子放出材料が形成された基材からなる。
【００２４】
本実施の形態にかかる電子放出材料は、エラストマー中に平均直径が５〜３０ｎｍの多層カーボンナノチューブが分散された炭素繊維複合材料からなる電子放出材料であって、前記炭素繊維複合材料は、前記多層カーボンナノチューブを８〜１６体積％含む。
【００２５】
本実施の形態にかかる電子放出装置は、前記電子放出材料を含む陰極と、前記陰極から所定の間隔をあけて配置された陽極と、を具備し、前記陽極と前記陰極との間に電圧を印加することで前記電子放出材料から電子を放出する。
【００２６】
（Ｉ）エラストマー
エラストマーは、分子量が好ましくは５０００ないし５００万、さらに好ましくは２万ないし３００万である。エラストマーの分子量がこの範囲であると、エラストマー分子が互いに絡み合い、相互につながっているので、エラストマーは多層カーボンナノチューブを分散させるために良好な弾性を有している。エラストマーは、粘性を有しているので凝集した多層カーボンナノチューブの相互に侵入しやすく、さらに弾性を有することによって多層カーボンナノチューブ同士を分離することができる。エラストマーの分子量が５０００より小さいと、エラストマー分子が相互に充分に絡み合うことができず、後の工程で剪断力をかけても弾性が小さいため多層カーボンナノチューブを分散させる効果が小さくなる。また、エラストマーの分子量が５００万より大きいと、エラストマーが固くなりすぎて加工が困難となる。
【００２７】
エラストマーは、パルス法ＮＭＲを用いてハーンエコー法によって、３０℃で測定した、非架橋体におけるネットワーク成分のスピン−スピン緩和時間（Ｔ２ｎ／３０℃）が好ましくは１００ないし３０００μ秒、より好ましくは２００ないし１０００μ秒である。上記範囲のスピン−スピン緩和時間（Ｔ２ｎ／３０℃）を有することにより、エラストマーは、柔軟で充分に高い分子運動性を有することができ、すなわち多層カーボンナノチューブを分散させるために適度な弾性を有することになる。また、エラストマーは粘性を有しているので、エラストマーと多層カーボンナノチューブとを混合したときに、エラストマーは高い分子運動により多層カーボンナノチューブの相互の隙間に容易に侵入することができる。スピン−スピン緩和時間（Ｔ２ｎ／３０℃）が１００μ秒より短いと、エラストマーが充分な分子運動性を有することができない。また、スピン−スピン緩和時間（Ｔ２ｎ／３０℃）が３０００μ秒より長いと、エラストマーが液体のように流れやすく、弾性が小さい（粘性は有している）ため、多層カーボンナノチューブを分散させることが困難となる。
【００２８】
また、エラストマーは、パルス法ＮＭＲを用いてハーンエコー法によって３０℃で測定した、架橋体における、ネットワーク成分のスピン−スピン緩和時間（Ｔ２ｎ）が１００ないし２０００μ秒であることが好ましい。その理由は、上述した未架橋体と同様である。すなわち、上記の条件を有する未架橋体を本発明の製造方法によって架橋化すると、得られる架橋体のＴ２ｎはおおよそ上記範囲に含まれる。
【００２９】
パルス法ＮＭＲを用いたハーンエコー法によって得られるスピン−スピン緩和時間は、物質の分子運動性を表す尺度である。具体的には、パルス法ＮＭＲを用いたハーンエコー法によりエラストマーのスピン−スピン緩和時間を測定すると、緩和時間の短い第１のスピン−スピン緩和時間（Ｔ２ｎ）を有する第１の成分と、緩和時間のより長い第２のスピン−スピン緩和時間（Ｔ２ｎｎ）を有する第２の成分とが検出される。第１の成分は高分子のネットワーク成分（骨格分子）に相当し、第２の成分は高分子の非ネットワーク成分（末端鎖などの枝葉の成分）に相当する。そして、第１のスピン−スピン緩和時間が短いほど分子運動性が低く、エラストマーは固いといえる。また、第１のスピン−スピン緩和時間が長いほど分子運動性が高く、エラストマーは柔らかいといえる。
【００３０】
パルス法ＮＭＲにおける測定法としては、ハーンエコー法でなくてもソリッドエコー法、ＣＰＭＧ法（カー・パーセル・メイブーム・ギル法）あるいは９０゜パルス法でも適用できる。ただし、本発明にかかる炭素繊維複合材料は中程度のスピン−スピン緩和時間（Ｔ２）を有するので、ハーンエコー法が最も適している。一般的に、ソリッドエコー法および９０゜パルス法は、短いＴ２の測定に適し、ハーンエコー法は、中程度のＴ２の測定に適し、ＣＰＭＧ法は、長いＴ２の測定に適している。
【００３１】
エラストマーは、主鎖、側鎖および末端鎖の少なくともひとつに、多層カーボンナノチューブ、特にその末端のラジカルに対して親和性を有する不飽和結合または基を有するか、もしくは、このようなラジカルまたは基を生成しやすい性質を有する。かかる不飽和結合または基としては、二重結合、三重結合、α水素、カルボニル基、カルボキシル基、水酸基、アミノ基、ニトリル基、ケトン基、アミド基、エポキシ基、エステル基、ビニル基、ハロゲン基、ウレタン基、ビューレット基、アロファネート基および尿素基などの官能基から選択される少なくともひとつであることができる。
【００３２】
多層カーボンナノチューブは、通常、側面は炭素原子の６員環で構成され、先端は５員環が導入されて閉じた構造となっているが、構造的に無理があるため、実際上は欠陥を生じやすく、その部分にラジカルや官能基を生成しやすくなっている。本実施の形態では、エラストマーの主鎖、側鎖および末端鎖の少なくともひとつに、多層カーボンナノチューブのラジカルと親和性（反応性または極性）が高い不飽和結合や基を有することにより、エラストマーと多層カーボンナノチューブとを結合することができる。このことにより、多層カーボンナノチューブの凝集力にうち勝ってその分散を容易にすることができる。
【００３３】
エラストマーとしては、天然ゴム（ＮＲ）、エポキシ化天然ゴム（ＥＮＲ）、スチレン−ブタジエンゴム（ＳＢＲ）、ニトリルゴム（ＮＢＲ）、クロロプレンゴム（ＣＲ）、エチレンプロピレンゴム（ＥＰＲ，ＥＰＤＭ）、ブチルゴム（ＩＩＲ）、クロロブチルゴム（ＣＩＩＲ）、アクリルゴム（ＡＣＭ）、シリコーンゴム（Ｑ）、フッ素ゴム（ＦＫＭ）、ブタジエンゴム（ＢＲ）、エポキシ化ブタジエンゴム（ＥＢＲ）、エピクロルヒドリンゴム（ＣＯ，ＣＥＯ）、ウレタンゴム（Ｕ）、ポリスルフィドゴム（Ｔ）などのエラストマー類；オレフィン系（ＴＰＯ）、ポリ塩化ビニル系（ＴＰＶＣ）、ポリエステル系（ＴＰＥＥ）、ポリウレタン系（ＴＰＵ）、ポリアミド系（ＴＰＥＡ）、スチレン系（ＳＢＳ）、などの熱可塑性エラストマー；およびこれらの混合物を用いることができる。特に、エラストマーの混練の際にフリーラジカルを生成しやすい極性の高いエラストマー、例えば、天然ゴム（ＮＲ）、ニトリルゴム（ＮＢＲ）などが好ましい。また、極性の低いエラストマー、例えばエチレンプロピレンゴム（ＥＰＤＭ）であっても、混練の温度を比較的高温（例えばＥＰＤＭの場合、５０℃〜１５０℃）とすることで、フリーラジカルを生成するので本発明に用いることができる。
【００３４】
本実施の形態のエラストマーは、ゴム系エラストマーあるいは熱可塑性エラストマーのいずれであってもよい。また、ゴム系エラストマーの場合、エラストマーは未架橋体が好ましい。
【００３５】
（II）多層カーボンナノチューブ
本実施の形態にかかる多層カーボンナノチューブは、炭素六角網面のグラファイトの１枚面（グラフェンシート）を巻いて筒状にした形状を有しており、３層以上に巻いた多層カーボンナノチューブ（ＭＷＮＴ：マルチウォールカーボンナノチューブ）を用いる。カーボンナノチューブとしては、例えば、グラファイトの１枚面を１層に巻いた単層カーボンナノチューブ（シングルウォールカーボンナノチューブ：ＳＷＮＴ）、２層に巻いた２層カーボンナノチューブ（ダブルウォールカーボンナノチューブ：ＤＷＮＴ）、気相成長炭素繊維（ＶＧＣＦ：昭和電工社の登録商標）などがあるが、本実施の形態に用いる多層カーボンナノチューブはこれらを含まない。カーボンナノチューブを含む炭素繊維複合材料の電子放出特性は、用いられるカーボンナノチューブの種類に応じて最適なカーボンナノチューブの体積割合がある。炭素繊維複合材料中における多層カーボンナノチューブの最適体積割合は、８〜１６体積％である。
【００３６】
電子放出材料の製造に用いる多層カーボンナノチューブは、平均直径が５〜３０ｎｍであることが好ましい。また、多層カーボンナノチューブは、直線状もしくは湾曲状の形態を有するが、直線状の多層カーボンナノチューブの方が電子放出特性に優れるため好ましい。
【００３７】
多層カーボンナノチューブは、アーク放電法、レーザーアブレーション法、気相成長法などによって望ましいサイズに製造される。
【００３８】
アーク放電法は、大気圧よりもやや低い圧力のアルゴンや水素雰囲気下で、炭素棒でできた電極材料の間にアーク放電を行うことで、陰極に堆積した多層カーボンナノチューブを得る方法である。
【００３９】
レーザーアブレーション法は、希ガス（例えばアルゴン）中で、ターゲットであるニッケル／コバルトなどの触媒を混ぜた炭素表面に、ＹＡＧレーザーの強いパルスレーザー光を照射することによって炭素表面を溶融・蒸発させて、カーボンナノチューブを得る方法である。
【００４０】
気相成長法は、ベンゼンやトルエン等の炭化水素を気相で熱分解し、カーボンナノチューブを合成するもので、より具体的には、流動触媒法やゼオライト担持触媒法などが例示できる。
【００４１】
カーボンナノチューブは、エラストマーと混練される前に、あらかじめ表面処理、例えば、イオン注入処理、スパッタエッチング処理、プラズマ処理などを行うことによって、エラストマーとの接着性やぬれ性を改善することができる。
【００４２】
（III）炭素繊維複合材料を得る工程
本実施の形態では、炭素繊維複合材料を得る工程として、図１を用いてロール間隔が０．５ｍｍ以下の薄通しを行なうオープンロール法を用いた例について述べる。
【００４３】
図１は、２本のロールを用いたオープンロール法を模式的に示す図である。図１において、符号１０は第１のロールを示し、符号２０は第２のロールを示す。第１のロール１０と第２のロール２０とは、所定の間隔ｄ、例えば１．５ｍｍの間隔で配置されている。第１および第２のロールは、正転あるいは逆転で回転する。図示の例では、第１のロール１０および第２のロール２０は、矢印で示す方向に回転している。
【００４４】
まず、第１，第２のロール１０，２０が回転した状態で、第２のロール２０に、エラストマー３０を巻き付けると、ロール１０，２０間にエラストマーがたまった、いわゆるバンク３２が形成される。このバンク３２内に多層カーボンナノチューブ４０を加えて、第１、第２のロール１０，２０を回転させると、エラストマー３０と多層カーボンナノチューブ４０の混合物が得られる。この混合物をオープンロールから取り出す。さらに、第１のロール１０と第２のロール２０の間隔ｄを、好ましくは０．５ｍｍ以下、より好ましくは０．１ないし０．５ｍｍの間隔に設定し、得られたエラストマーと多層カーボンナノチューブの混合物をオープンロールに投入して薄通しを行なう。薄通しの回数は、例えば１０回程度行なうことが好ましい。第１のロール１０の表面速度をＶ１、第２のロール２０の表面速度をＶ２とすると、薄通しにおける両者の表面速度比（Ｖ１／Ｖ２）は、１．０５ないし３．００であることが好ましく、さらに１．０５ないし１．２であることが好ましい。このような表面速度比を用いることにより、所望の剪断力を得ることができる。
【００４５】
このようにして得られた剪断力により、エラストマー３０に高い剪断力が作用し、凝集していた多層カーボンナノチューブがエラストマー分子に１本づつ引き抜かれるように相互に分離し、エラストマー３０に分散される。
【００４６】
また、多層カーボンナノチューブの投入に先立って、金属もしくは非金属の粒子をバンク３２に投入しておくと、ロールによる剪断力は金属粒子のまわりに乱流状の流動を発生させ、多層カーボンナノチューブをエラストマー３０にさらに分散させることができる。
【００４７】
また、この工程では、できるだけ高い剪断力を得るために、エラストマーと多層カーボンナノチューブとの混合は、好ましくは０ないし５０℃、より好ましくは５ないし３０℃の比較的低い温度で行われる。なお、エラストマーとしてＥＰＤＭを用いた場合には、２段階の混練工程を行なうことが望ましく、第１の混練工程では、できるだけ高い剪断力を得るために、ＥＰＤＭと多層カーボンナノチューブとの混合は、第２の混練工程より５０〜１００℃低い第１の温度で行なわれる。第１の温度は、好ましくは０ないし５０℃、より好ましくは５ないし３０℃の第１の温度である。ロールの第２の温度は、５０〜１５０℃の比較的高い温度に設定することで多層カーボンナノチューブの分散性を向上させることができる。
【００４８】
このとき、本実施の形態のエラストマーは、上述した特徴、すなわち、エラストマーの分子形態（分子長）や分子運動によって表される弾性と、粘性と、多層カーボンナノチューブとの化学的相互作用と、を有することによって多層カーボンナノチューブの分散を容易にするので、分散性および分散安定性（多層カーボンナノチューブが再凝集しにくいこと）に優れた炭素繊維複合材料を得ることができる。より具体的には、エラストマーと多層カーボンナノチューブとを混合すると、粘性を有するエラストマーが多層カーボンナノチューブの相互に侵入し、かつ、エラストマーの特定の部分が化学的相互作用によって多層カーボンナノチューブの活性の高い部分と結合する。この状態で、分子長が適度に長く、分子運動性の高い(弾性を有する)エラストマーと多層カーボンナノチューブとの混合物に強い剪断力が作用すると、エラストマーの移動に伴って多層カーボンナノチューブも移動し、さらに剪断後の弾性によるエラストマーの復元力によって、凝集していた多層カーボンナノチューブが分離されて、エラストマー中に分散されることになる。本実施の形態によれば、混合物が狭いロール間から押し出された際に、エラストマーの弾性による復元力で混合物はロール間隔より厚く変形する。その変形は、強い剪断力の作用した混合物をさらに複雑に流動させ、多層カーボンナノチューブをエラストマー中に分散させると推測できる。そして、一旦分散した多層カーボンナノチューブは、エラストマーとの化学的相互作用によって再凝集することが防止され、良好な分散安定性を有することができる。
【００４９】
エラストマーに多層カーボンナノチューブを剪断力によって分散させる工程は、上記オープンロール法に限定されず、密閉式混練法あるいは多軸押出し混練法を用いることもできる。要するに、この工程では、凝集した多層カーボンナノチューブを分離できる剪断力をエラストマーに与えることができればよい。
【００５０】
本工程（混合・分散工程）によって得られた炭素繊維複合材料は、架橋剤によって架橋させて成形するか、もしくは架橋させずに成形することができる。
【００５１】
エラストマーと多層カーボンナノチューブとの混合・分散工程において、あるいは続いて、通常、ゴムなどのエラストマーの加工で用いられる配合剤を加えることができる。配合剤としては公知のものを用いることができる。配合剤としては、例えば、架橋剤、加硫剤、加硫促進剤、加硫遅延剤、軟化剤、可塑剤、硬化剤、補強剤、充填剤、老化防止剤、着色剤などを挙げることができる。
【００５２】
図５は、本実施の形態にかかる炭素繊維複合材料を模式的に示す断面図である。本工程によって得られた本実施の形態の炭素繊維複合材料１は、基材（マトリックス）であるエラストマー３０に多層カーボンナノチューブ４０が均一に分散されている。多層カーボンナノチューブ４０の周囲には、エラストマー３０の一部が混練中に分子鎖切断され、それによって生成されたフリーラジカルが多層カーボンナノチューブ４０の表面をアタックして吸着したエラストマー３０の分子の凝集体と考えられる界面相３６が形成される。界面相３６は、例えばエラストマーとカーボンブラックとを混練した際にカーボンブラックの周囲に形成されるバウンドラバーに類似するものと考えられる。このような界面相３６は、多層カーボンナノチューブ４０を被覆して保護し、炭素繊維複合材料中における多層カーボンナノチューブの量が増えるにつれて界面相３６同士が連鎖する。界面相３６は、多層カーボンナノチューブ４０を被覆することで電子放出による多層カーボンナノチューブ４０の破壊を防ぐと考えられ、寿命の改善された電子放出材料を得ることができる。しかも、炭素繊維複合材料中における多層カーボンナノチューブ４０が最適体積割合にあると、界面相３６同士が適度に連結して陰極側から陽極側へ向かって電気伝導（図５には点線で示した）して電子放出を効率よく行うと推測できる。この状態を例えばパーコレーションと呼ぶ。
【００５３】
これに対して、炭素繊維複合材料１ａ中における多層カーボンナノチューブの体積割合が小さいと、図６に示すように、界面相３６同士の連結が少なくなり、電気伝導性も低下すると共に電子放出の効率も低下すると推測できる。また、図５のパーコレーションの状態よりも多層カーボンナノチューブの体積割合を増やしていくと、図７に示す炭素繊維複合材料１ｂのように、連鎖した界面相３６に囲まれてナノメートルサイズに分割されたエラストマーの小さなセル３４が形成されると推測できる。この状態を例えばセルレーションと呼ぶ。このようなセルレーションの状態になると、縦横無尽に連結した界面相３６が、陰極から陽極へのスムーズな電気伝導を阻害して電子放出の効率を低下させてしまうことになる。したがって、炭素繊維複合材料中における多層カーボンナノチューブの体積割合を８〜１６体積％とすることで界面相同士が適度に連結し、電子放出特性を最適化することができ、高価な多層カーボンナノチューブを効率よく利用することができる。
【００５４】
本実施の形態にかかる炭素繊維複合材料は、後述する薄膜の形態で電子放出材料として用いることもできるし、用途によって他の形態でも電子放出材料として用いることも可能である。例えば、オープンロール法によって得られたシート状でもよいし、本工程で得られた炭素繊維複合材料を、射出成形法、トランスファー成形法、プレス成形法などで複雑な形状としてもよいし、押出成形法、カレンダー加工法などによってシート状、角棒状、丸棒状などの連続形状品として成形してもよい。また、炭素繊維複合材料のエラストマーは、架橋してもよいし、無架橋であってもよい。
【００５５】
多層カーボンナノチューブは、通常、相互に絡み合って媒体に分散しにくい性質を有するが、本実施の形態の炭素繊維複合材料においては、多層カーボンナノチューブがエラストマーに既に分散した状態で存在するので、これを原料として溶剤中に溶解するなどすることで多層カーボンナノチューブを媒体に容易に分散させることができる。
【００５６】
本実施の形態にかかる薄膜の形態を有する電子放出材料の製造方法は、炭素繊維複合材料と溶剤とを混合して塗布液を得る工程と、塗布液を基材上に塗布して薄膜を形成する工程と、を含むことができる。塗布液を得る工程及び薄膜を形成する工程について、以下説明する。
【００５７】
（IV）塗布液を得る工程
本実施の形態にかかる塗布液を得る工程は、炭素繊維複合材料と溶剤とを混合させる。本実施の形態にかかる炭素繊維複合材料は、多層カーボンナノチューブとエラストマーとの濡れがよいため、溶剤中に溶解させても沈殿しない。これは、多層カーボンナノチューブが、溶解したエラストマー分子に絡まったままの状態で塗布液中に均一に懸濁するためである。しかも、多層カーボンナノチューブは、界面相に覆われたまま塗布液中に存在する。
【００５８】
この工程で用いられる溶剤は、トルエン、キシレン等の芳香族炭化水素系やシクロヘキサン等の脂環式炭化水素系などの溶媒の１種以上を含むものをエラストマーの種類によって適宜選択することができる。溶剤としては、トルエン、ベンゼン、シクロヘキサン、シンナー（混合溶剤）、エチレングリコール、モノエチルエーテル（別名セロソルブ）、エチレングリコールモノエチルエーテルアセテート（別名セロソルブアセテート）、エチレングリコールモノブチルエーテル（別名ブチルセロソルブ）、エチレングリコールモノメチルエーテル（別名メチルセロソルブ）、オルト−ジクロロベンゼン、クロルベンゼン、クロロホルム、四塩化炭素、１，４−ジオキサン、１，２−ジクロルエタン（別名二塩化エチレン）、１，２−ジクロルエチレン（別名二塩化アセチレン）、１，１，２，２−テトラクロルエタン（別名四塩化アセチレン）、キシレン、Ｎ，Ｎ−ジメチルホルムアミド、スチレン、テトラクロルエチレン（別名パークロルエチレン）、トリクロルエチレン、１，１，１−トリクロルエタン、二硫化炭素、ノルマルヘキサン、アセトン、イソブチルアルコール、イソプロピルアルコール、イソペンチルアルコール、エチルエーテル、エチレングリコールモノエチルエーテル、オルト−ジクロルベンゼン、キシレン（オルト）、キシレン（メタ）、キシレン（パラ）、クレゾール（オルト）、クレゾール（メタ）、クレソール（パラ）、酢酸イソブチル、酢酸イソプロピル、酢酸イソペンチル、酢酸エチル、酢酸ブチル、酢酸プロピル、酢酸ペンチル、酢酸メチル、シクロヘキサノール、１，４−ジオキサン、ジクロルメタン、テトラヒドロフラン、ノルマルヘキサン、１−ブタノール、２−ブタノール、メタノール、メチルイソブチルケトン、メチルエチルケトン、メチルシクロヘキサノール、メチルシクロヘキサノン、メチルブチルケトン、工業ガソリン、コールタールナフサ（ソルベントナフサ）、石油エーテル、石油ナフサ（軽質）、石油ナフサ（重質）、石油ベンジン、テレビン油、ミネラルスピリットなどの有機溶剤などから適宜エラストマーに合わせて選択することができる。例えば、炭素繊維複合材料のエラストマーが天然ゴム（ＮＲ）やスチレン系（ＳＢＳ）の場合にはトルエン、ＥＰＤＭの場合にはシクロヘキサンが用いられる。
【００５９】
（Ｖ）薄膜を形成する工程
本実施の形態にかかる塗布液を基材上に塗布して薄膜を形成する工程は、基材上に塗布液を均一の厚さに塗布する方法を採用することができる。そのような塗布する方法としては、スピンコート法、ディッピング法、静電塗装などのスクリーン印刷法、スプレー法、インクジェット法から選ばれる方法によって実施されることが好ましい。さらに、このようにして塗布された塗布液は、減圧恒温炉中で凍結乾燥や熱処理乾燥、あるいは紫外線などによる硬化によって薄膜を形成する。薄膜の膜厚は、薄膜の成形方法によって異なるが、例えば０．５〜１０μｍが好ましい。
【００６０】
本実施の形態では、塗布液を基材上に塗布する工程として、スピンコート法を用いた例について述べる。図２に示すように、基材として例えば円盤状の基板６０をモータ８０に連結された基板支持台７０上に設置した後、基板支持台７０に設けられた図示せぬ真空吸着手段により真空吸着して保持し、モーター８０により基板支持台７０と基板６０とを例えば２０００ｒｐｍで回転させる。そして、回転した基板６０上に塗布ノズル９０から上記（IV）で得られた塗布液１００を滴下して基板６０の全面に均一に塗布し、減圧恒温槽中で展開液を凍結乾燥し、基板６０上に薄膜を形成する。基板６０としては、金、銅、アルミニウムなどの金属、シリコンウエハなどの半導体、ガラス、高分子材料などを用いることができる。
【００６１】
上記（IV）で得られた塗布液には、多層カーボンナノチューブが沈殿することなく均一に懸濁しているため、スピンコート法によって基材に多層カーボンナノチューブを均一に分散させることができる。
【００６２】
（VI）薄膜の電磁気特性
本実施の形態にかかる製造方法で基材に形成された薄膜は、多層カーボンナノチューブが均一に分散されている。本実施の形態にかかる薄膜は、優れた電磁気特性を有するため、電磁気材料として用いることができる。
【００６３】
薄膜における多層カーボンナノチューブの分散の状態は、薄膜をパルス法ＮＭＲを用いてハーンエコー法による測定を行うことで判定できる。パルス法ＮＭＲを用いたハーンエコー法により測定されたスピン−格子緩和時間（Ｔ１）は、スピン−スピン緩和時間（Ｔ２）とともに物質の分子運動性を表す尺度である。具体的には、薄膜のスピン−格子緩和時間が短いほど分子運動性が低く、薄膜は固いといえ、そしてスピン−格子緩和時間が長いほど分子運動性が高く、薄膜は柔らかいといえる。
【００６４】
薄膜は、基材であるエラストマーに多層カーボンナノチューブが均一に分散されている。このことは、エラストマーが多層カーボンナノチューブによって拘束されている状態であるともいえる。この状態では、多層カーボンナノチューブによって拘束を受けたエラストマー分子の運動性は、多層カーボンナノチューブの拘束を受けない場合に比べて小さくなる。そのため、本実施の形態にかかる薄膜の第１のスピン−スピン緩和時間（Ｔ２ｎ）、第２のスピン−スピン緩和時間（Ｔ２ｎｎ）及びスピン−格子緩和時間（Ｔ１）は、多層カーボンナノチューブを含まないエラストマー単体の場合より短くなる。なお、架橋体の薄膜におけるスピン−格子緩和時間（Ｔ１）は、多層カーボンナノチューブの混合量に比例して変化する。
【００６５】
また、エラストマー分子が多層カーボンナノチューブによって拘束された状態では、以下の理由によって、非ネットワーク成分（非網目鎖成分）は減少すると考えられる。すなわち、多層カーボンナノチューブによってエラストマーの分子運動性が全体的に低下すると、非ネットワーク成分は容易に運動できなくなる部分が増えて、ネットワーク成分と同等の挙動をしやすくなること、また、非ネットワーク成分（末端鎖）は動きやすいため、多層カーボンナノチューブの活性点に吸着されやすくなること、などの理由によって、非ネットワーク成分は減少すると考えられる。そのため、第２のスピン−スピン緩和時間を有する成分の成分分率（ｆｎｎ）は、多層カーボンナノチューブを含まないエラストマー単体の場合より小さくなる。なお、第１のスピン−スピン緩和時間を有する成分の成分分率（ｆｎ）は、ｆｎ＋ｆｎｎ＝１であるので、多層カーボンナノチューブを含まないエラストマー単体の場合より大きくなる。
【００６６】
以上のことから、本実施の形態にかかる薄膜は、パルス法ＮＭＲを用いてハーンエコー法によって得られる測定値が以下の範囲にあることが望ましい。
【００６７】
すなわち、未架橋の薄膜において、１１０℃で測定した、第１のスピン−スピン緩和時間（Ｔ２ｎ）は１００ないし３０００μ秒であり、第２のスピン−スピン緩和時間（Ｔ２ｎｎ）は存在しないか、あるいは１０００ないし１００００μ秒であり、第１のスピン−スピン緩和時間を有する成分の成分分率（ｆｎ）は０．９５以上であり、さらに第２のスピン−スピン緩和時間を有する成分の成分分率（ｆｎｎ）は０．０５未満であることが好ましい。
【００６８】
また、本実施の形態にかかる薄膜における多層カーボンナノチューブの分散の状態は、薄膜を電子スピン共鳴（以下、ＥＳＲ）分光装置を用いて線幅の測定を行うことで判定することもできる。さらに、ＥＳＲ分光装置を用いて炭素の不対電子のシグナルのｇ値を測定することで、本実施の形態にかかる薄膜の電磁気的特性も判定することができる。
【００６９】
ＥＳＲ分光装置は、不対電子（スピン）にマイクロ波を照射し、その吸収をスペクトルとして観測することができる。
【００７０】
ＥＳＲ分光装置によって測定されるｇ値とは、不対電子を持つフリーラジカルが一定の強さの磁場のもとで作り出すエネルギー場とマイクロ波を吸収するときの見かけの指標である。ｇ値が大きいほど大きな共鳴エネルギーを吸収することになり、フリーラジカルを特徴づける値である。また、ＥＳＲ分光装置によって測定される線幅とは、不対電子同士の相互作用を示す指標である。なお、ＥＳＲ分光装置による炭素の不対電子のシグナルのｇ値及び線幅の測定は、伝導電子の信号が検出されない温度４．５ケルビン（Ｋ）で行なわれる。
【００７１】
本実施の形態にかかる薄膜は、電子スピン共鳴分光装置によって測定された４．５ケルビン（Ｋ）における炭素の不対電子のシグナルのｇ値が２．０００以上２．００２未満であることが好ましい。金属におけるｇ値は２．０００であるので、このような範囲のｇ値とすることで本発明にかかる薄膜は金属に近い電気伝導性を有していることがわかる。
【００７２】
このような薄膜の電気伝導性について、図３及び図４を用いて説明する。図３及び図４は、薄膜中の多層カーボンナノチューブの状態と電気伝導を模式的に示す図である。
【００７３】
通常、エラストマー中に多層カーボンナノチューブが凝集して存在する場合、図３に示すような多層カーボンナノチューブ側面を流れる電気伝導（図３における矢印５０）と多層カーボンナノチューブの内部を流れる電気伝導（図３における矢印５２）があると考えられる。このような状態においては、多層カーボンナノチューブ側面を流れる電気伝導（図３における矢印５０）が主体となるため、ＥＳＲ分光装置による炭素の不対電子のシグナルのｇ値は２．００２３となる。
【００７４】
しかし、本実施の形態にかかる薄膜のように多層カーボンナノチューブが均一に分散されていると、図４に示すような多層カーボンナノチューブの内部を流れる電気伝導（図４における矢印５２）が主体となり、また多層カーボンナノチューブ同士が接触している箇所での電気伝導（図４における矢印５３）や図示せぬ連結した界面相での電気伝導もあり、全体として金属（ｇ値が２．０００）に近い電気伝導性を有することができる。
【００７５】
さらに、上述したｇ値を有する本発明にかかる薄膜は、電子スピン共鳴分光装置によって測定された４．５ケルビン（Ｋ）における炭素の不対電子のシグナルの線幅が３００μＴ以上であることが好ましい。このような線幅においては、本発明にかかる薄膜は多層カーボンナノチューブが均一に分散され、金属のような電気伝導性を有していることがわかる。
【００７６】
さらに、薄膜においては引張強度が大きいことが好ましいが、本発明にかかる薄膜は、原料エラストマーよりも引張強度が向上し、多層カーボンナノチューブの含有量を増やすことで引張強度も向上することができる。
【００７７】
（VII）電子放出材料
本実施の形態にかかる製造方法で得られた電子放出材料は、シート状の炭素繊維複合材料の形態においても、基材に形成された薄膜の炭素繊維複合材料の形態においても、同様に優れた電子放出特性を有する。
【００７８】
本実施の形態にかかる電子放出材料の電子放出特性は、しきい値電界が２Ｖ／μｍ以下であって、飽和電流密度が１ｍＡ／ｃｍ２以上の高効率の電子放出材料である。本実施の形態にかかる電子放出材料によれば、多層カーボンナノチューブをエラストマー、特に界面相で包み込むことで、長寿命でありながら、低電界における電子放出を可能とすることができる。また、本実施の形態にかかる電子放出材料は、エラストマーをマトリクスとしながら、金属に近い電気伝導性を有するので、電子注入が可能である。さらに、エラストマーをマトリクスとしているため、電子放出材料の形態の自由度が高く、多くの用途に柔軟に対応可能である。また、薄膜を構成するエラストマーは、架橋してもよいし、無架橋であってもよい。
【００７９】
また、炭素繊維複合材料中における多層カーボンナノチューブの最適体積割合は、８〜１６体積％である。このような体積割合で多層カーボンナノチューブを含む炭素繊維複合材料は、多層カーボンナノチューブを含む炭素繊維複合材料における最も好ましい電子放出特性を有する。多層カーボンナノチューブの体積割合が８体積％未満及び１６体積％を超える範囲においては、炭素繊維複合材料の電子放出特性が低下する。
【００８０】
（VIII）電子放出装置
図８は、本実施の形態にかかる電子放出装置を用いたフィールド・エミッション・ディスプレイ（ＦＥＤ）１１０の構成を示す模式図である。フィールド・エミッション・ディスプレイ１１０は、前記工程で得られた薄膜（電子放出材料）２が電極基板６０上に形成された陰極８と、ゲート電極４を挟んで、陰極２から所定の間隔をあけて対向配置されたガラス基板５と、を例えば真空気密容器中に有している。ガラス基板５の陰極２側には陽極６及び蛍光体７が積層して形成されている。したがって、フィールド・エミッション・ディスプレイ１１０は、薄膜２を含む陰極８と、陽極６と、陰極８と陽極６との間に配置されたゲート電極４と、を具備する、電子放出装置を含む。
【００８１】
陰極８とゲート電極４間へ電圧を印加すると、電子放出材料で形成された薄膜２のゲート電極４側の表面から陽極６へ向かって電子（ｅ−）を放出する。陰極８から放出された電子（ｅ−）は、陽極６に向かって進行し、蛍光体７に当たることによって生じる発光を利用して像を表示することができる。陰極８の薄膜２の表面は、エッチングなどによって表面処理されることで、突起状の電子放出部としてのエミッタを形成してもよいし、エッチングしなくても表面全体が電子放出材料の薄膜２で形成されているためエミッタとして機能することができる。
【００８２】
このような電子放出装置は、薄膜２の全体に分散された多層カーボンナノチューブによって電子放出効率が高く、薄膜２が金属と同等の電気伝導性を有するので電子注入が容易である。また、多層カーボンナノチューブは、エラストマー特に界面相に覆われているため、長寿命である。
【００８３】
このようにして得られた電子放出材料及び電子放出装置は、フィールド・エミッション・ディスプレイの他、各種用途に用いることができる。例えば、電極基板の表面全体を発光させることで、面発光体（面蛍光体）としてもよいし、あるいは蛍光ランプ、電子顕微鏡、プラズマディスプレイなどの熱陰極動作または冷陰極動作による放電を利用する各種電極として用いることができる。
【００８４】
図９〜図１４は、本実施の形態にかかる電子放出材料を用いた照明装置の構成を示す縦断面模式図である。
【００８５】
図９の平面照明装置２００は、前記工程で得られた炭素繊維複合材料（電子放出材料）を電極基板として形成した陰極１６０と、陰極１６０から所定の間隔をあけて配置された蛍光色素膜１３０が陰極１６０側に形成されたガラス板１２０と、ガラス板１２０と陰極１６０との間隔を決めるスペーサ１５０と、ガラス板１２０と陰極１６０との間に形成されたグリッド（陽極）１４０と、を具備する。ガラス板１２０、グリッド１４０、陰極１６０は、例えば四角形の平板状であり、グリッド１４０は打抜きや電鋳などにより形成された複数の微小孔を持つ金属板である。ガラス板１２０は、透明で、陰極１６０側の表面にスクリーン印刷などの方法で塗布されている。一定厚さのスペーサ１５０は、その平板状ガラス板１２０と陰極１６０の外周端部に配置され、かつガラス板１２０と陰極１６０とで挟み込まれ、ガラス板１２０と陰極１６０との間に気密な真空状態の空間１８０を形成する。また、グリッド１４０の外周端部は、スペーサ１５０の中間部分に挟み込まれて固定されている。陰極１６０とグリッド１４０間へ電圧を印加すると、電子放出材料で形成された陰極１６０のグリッド１４０側の表面からガラス基板１２０へ向かって電子が放出され、グリッド１４０の複数の微小孔を通過する。陰極１６０から放出され、グリッド１４０の微小孔を通過した電子は、陽極１２０に向かって進行し、蛍光色素膜１３０に当たることによって発光し、照明装置となる。陰極１６０とガラス板１２０の間の空間は、真空でもよいが、例えばアルゴンガスなどの所定のガスを封入してもよい。また、ガラス板１２０は、本実施の形態のように透明でもよいが、既存の照明装置と同様に着色されていてもよい。
【００８６】
また、図１０の平面照明装置２０２においては、例えばアルミニウムなどで形成された基板１７０上に陰極薄膜１６２を形成している以外は、図９の実施例と同様である。陰極薄膜１６２は、前記工程で説明した、基板１７０上に薄く塗布して得られた薄膜１６２である。
【００８７】
図１１の平面照明装置２０４は、図９のグリッドをなくして、陽極１２４が陰極１６０側の表面に形成された透明なＩＴＯガラス板１２２を有する以外は、図９の実施例と同様である。ＩＴＯガラス板１２２を用いた場合には、蛍光色素膜１３０はＩＴＯガラス１２２の陰極１６０側表面に形成された陽極１２４の上にスクリーン印刷などの方法で塗布される。つまり、ＩＴＯガラス板１２２を用いた場合には、陽極１２４はガラス板１２２の本体と蛍光色素膜１３０との間に配置することになる。したがって、陽極１２４と陰極１６０との間へ電圧を印加すると、電子放出材料である陰極１６０の表面からＩＴＯガラス板１２２へ向かって電子を放出し、蛍光色素１３０に当たって発光する。なお、ＩＴＯガラス板１２２の替わりに、透明なガラス板にスクリーン印刷で蛍光色素膜を塗布した上に、真空蒸着法などでアルミニウム薄膜の陽極を形成させてもよい。
【００８８】
図１２の平面照明装置２０６は、図８に示したフィールド・エミッション・ディスプレイ（ＦＥＤ）１１０と同様の構成であって、図１１のＩＴＯガラス１２２と陰極１６０との間にグリッド１４０を追加した構成である。このように、平面照明装置２００〜２０６は、薄板状であり、省電力で発光するため、建物の内壁材の一部として施工することも可能である。
【００８９】
図１３の曲面照明装置２０８は、ＩＴＯガラス板１２２、グリッド１４０、陰極１６２、基板１７０が部分的に曲面を形成している。このように、電極などを曲面に形成することで照明装置の形状を自由に設計することが可能である。したがって、住宅などにおける照明装置の形状の自由度が高くなる。なお、蛍光色素膜１３０は、照明装置として多く用いられる白色蛍光色素が好ましいが、必要に応じて他の色の蛍光色素を選択してもよい。
【００９０】
図１４の管状照明装置２１０は、横断面円形のいわゆる蛍光灯型の照明装置であって、図１３の曲面照明装置２０８と基本的な構成は同じである。ＩＴＯガラス板が管状に形成されたガラス外囲器１２１は、内周面に陽極１２４が形成され、その上に蛍光色素膜１３０が形成されている。ガラス外囲器１２１の両端は、口金１５２，１５２によって密封され、密閉された空間１８０を真空状態に保持する。管状照明装置２１０の中心には長細い円柱状の電極棒１７２が配置され、電極棒１７２の両端は口金１５２，１５２に固定されている。電極棒１７２の外表面は陰極薄膜１６２で覆われ、さらに陰極薄膜１６２から所定の間隔を隔てて管状に配置されたグリッド１４０が電極棒１７２を取り囲んでいる。したがって、グリッド１４０と陰極薄膜１６２との間へ電圧を印加すると、電子放出材料で形成された陰極薄膜１６２の表面からグリッド１４０へ向かって放射状に電子を放出し、グリッド１４０の微小孔を通過した電子が蛍光色素膜１３０に当たって管全体が発光する。特に、管状照明装置２１０は、現行の蛍光灯と同様の形態でありながら、管内部に水銀を含んでおらず、リサイクル性のよい照明装置である。
【実施例】
【００９１】
以下、本発明の実施例について述べるが、本発明はこれらに限定されるものではない。
【００９２】
（実施例１〜６、比較例１、２）
（１）サンプルの作製
（ａ）炭素繊維複合材料の作製
第１の工程：ロール径が６インチのオープンロール（ロール温度１０〜２０℃）に、表１、２に示す所定量のエラストマーを投入して、ロールに巻き付かせた。
第２の工程：次に、表１、２に示す量（炭素繊維複合材料におけるＣＮＴの体積％）のカーボンナノチューブ（表１では「ＣＮＴの種類」の欄に「ＭＷＮＴ」と記載する）をエラストマーに投入した。このとき、ロール間隙を１．５ｍｍとした。
第３の工程：カーボンナノチューブを投入し終わったら、エラストマーとカーボンナノチューブとの混合物をロールから取り出した。
第４の工程：ロール間隙を１．５ｍｍから０．３ｍｍと狭くして、混合物を投入して薄通しをした。このとき、２本のロールの表面速度比を１．１とした。薄通しは繰り返し１０回行った。
第５の工程：ロールを所定の間隙（１．１ｍｍ）にセットして、薄通しした炭素繊維複合材料を投入し、分出しした。
なお、表１、表２における「ＭＷＮＴ」は平均直径１３ｎｍのＩＬＪＩＮ社製多層カーボンナノチューブであった。表１、表２において、「ＮＲ」が天然ゴム（分子量３００万、Ｔ２ｎ（３０℃）７００μ秒）、「ＳＢＲ」（分子量１５万、Ｔ２ｎ（３０℃）４００μ秒）がＪＳＲ社製スチレン−ブタジエンゴム、「ＮＢＲ」（分子量２０万、Ｔ２ｎ（３０℃）３００μ秒）が日本ゼオン社製ニトリルゴムであった。
このようにして得られた炭素繊維複合材料をロールで圧延後、プレス成形して、実施例１〜４及び比較例１、２の無架橋の電子放出材料（厚さ１ｍｍのシート形状）を得た。また、実施例６は、第２の工程でパーオキサイド２ｐｈｒを投入し、１７５℃で２０分間プレス架橋した。さらに、実施例５の電子放出材料サンプルは、炭素繊維複合材料を５倍量のトルエンに投入し、攪拌して溶解させて塗布液を得て、アルミニウム製の基板上にスクリーン印刷法で塗布液を塗布し、乾燥させて、基板上に膜厚１０μｍのフィルム状の薄膜を形成した。
【００９３】
（２）しきい値電界及び飽和電流密度の測定
実施例１〜６及び比較例１、２の電子放出材料のしきい値及び飽和電流密度を、図１１に示した装置で測定した。しきい値の測定は、陽極と陰極の間に徐々に電圧をかけ、電子放出し始める電界（電圧／電極間距離）をしきい値電界とした。飽和電流密度は、陽極と陰極の間に徐々に電圧をかけ、電流密度がほぼ飽和状態になった値を飽和電流密度とした。測定結果を表１、表２に示した。また、実施例１、２、比較例１、２の測定結果を図１５に示した。
【００９４】
【表１】
0004394659.tif 000002
【００９５】
【表２】
0004394659.tif 000003
【００９６】
表１、表２、図１５から、本発明の実施例１〜６によれば、以下のことが確認された。すなわち、本発明の実施例１〜６は、炭素繊維複合材料における多層カーボンナノチューブの体積割合が８〜１６体積％の範囲において、しきい値電界が０．４〜１．５（Ｖ／μｍ）と低く、最適体積割合であることが確認された。また、実施例１〜６の電子放出材料の飽和電流密度も同様に、炭素繊維複合材料における多層カーボンナノチューブの体積割合が８〜１６体積％の範囲において、６〜１２（ｍＡ／ｃｍ２）となり、良好な電子放出特性を有することがわかった。特に、図１５のようにグラフ化することで、カーボンナノチューブの体積割合が８〜１６体積％の炭素繊維複合材料において他の体積割合とは明らかに異なる好ましい電子放出特性が得られることがわかった。さらに、電子放出材料のしきい値電界及び飽和電流密度は、架橋の有無に関係なく、また、薄膜やシート状などの形状にもあまり影響されないことがわかった。
【図面の簡単な説明】
【００９７】
【図１】本実施の形態で用いたオープンロール法によるエラストマーと多層カーボンナノチューブとの混練法を模式的に示す図である。
【図２】本実施の形態で用いたスピンコート法による塗布液の塗布を模式的に示す図である。
【図３】凝集した多層カーボンナノチューブと電気伝導を模式的に示す図である。
【図４】本実施の形態にかかる薄膜中の多層カーボンナノチューブの状態と電気伝導を模式的に示す図である。
【図５】本実施の形態にかかる炭素繊維複合材料（電子放出材料）の一部を拡大して示す模式図である。
【図６】多層カーボンナノチューブが少ない炭素繊維複合材料の一部を拡大して示す模式図である。
【図７】多層カーボンナノチューブが多すぎる炭素繊維複合材料の一部を拡大して示す模式図である。
【図８】本実施の形態にかかる電子放出装置を用いたフィールド・エミッション・ディスプレイの構成を示す模式図である。
【図９】本実施の形態にかかる平面照明装置の構成を示す模式図である。
【図１０】本実施の形態にかかる平面照明装置の構成を示す模式図である。
【図１１】本実施の形態にかかる平面照明装置の構成を示す模式図である。
【図１２】本実施の形態にかかる平面照明装置の構成を示す模式図である。
【図１３】本実施の形態にかかる曲面照明装置の構成を示す模式図である。
【図１４】本実施の形態にかかる管状照明装置の構成を示す模式図である。
【図１５】ＭＷＮＴのしきい値及び飽和電流密度の測定結果である。
【符号の説明】
【００９８】
１    炭素繊維複合材料
２    薄膜（電子放出材料）
４    ゲート電極
５    ガラス基板
６    陽極
７    蛍光体
８    陰極
１０  第１のロール
２０  第２のロール
３０  エラストマー
３４  セル
３６  界面相
４０  多層カーボンナノチューブ
５０  多層カーボンナノチューブの側面を流れる電気伝導を示す矢印
５２  多層カーボンナノチューブの内部を流れる電気伝導を示す矢印
５３  多層カーボンナノチューブ同士の接触箇所を流れる電気伝導を示す矢印
６０  基板
７０  基板支持台
８０  モーター
９０  塗布ノズル
１００  塗布液
１１０  フィールド・エミッション・ディスプレイ
１２０  ガラス板
１２１  ガラス外囲器
１２２  ＩＴＯガラス板
１３０  蛍光色素膜
１４０  グリッド
１５０  スペーサ
１５２  口金
１６０  陰極
１６２  陰極薄膜
１７０  基板
１７２  電極棒
１８０  真空状態の空間
２００〜２０６  平面照明装置
２０８  曲面照明装置
２１０  管状照明装置
【図１】
0004394659.tif 000004
【図２】
0004394659.tif 000005
【図３】
0004394659.tif 000006
【図４】
0004394659.tif 000007
【図８】
0004394659.tif 000008
【図９】
0004394659.tif 000009
【図１０】
0004394659.tif 000010
【図１１】
0004394659.tif 000011
【図１２】
0004394659.tif 000012
【図１３】
0004394659.tif 000013
【図１４】
0004394659.tif 000014
【図５】
0004394659.tif 000015
【図６】
0004394659.tif 000016
【図７】
0004394659.tif 000017
【図１５】
0004394659.tif 000018